(57)【要約】【課題】冷暖房能力が大きくなっても、設置スペースを小さくすることができるエアコン室外機を得ることを目的とする。【解決手段】吸込み口から室外の空気を吸込んで熱交換ユニット１ａ〜１ｅに通し、その熱交換ユニット１ａ〜１ｅを通過した空気を室外に排出する複数のプロペラファン２ａ〜２ｃを熱交換ユニット１ａ〜１ｅと対向配置する。この際、複数の熱交換ユニット１ａ〜１ｅとプロペラファン２ａ〜２ｃを縦方向に並べるようにする。これにより、エアコン室外機の設置スペースを小さくすることができる。【選択図】        図１
2004263923.tif 000002
【特許請求の範囲】
【請求項１】
吸込み口から吸込まれた室外の空気と室内機から送られた冷媒の間で熱交換を行う長方形型の熱交換器と、上記熱交換器と対向配置され、上記吸込み口から室外の空気を吸込んで上記熱交換器に通し、その熱交換器を通過した空気を室外に排出する複数のプロペラファンとを備えたエアコン室外機。
【請求項２】
熱交換器は、複数の熱交換ユニットから構成されていることを特徴とする請求項１記載のエアコン室外機。
【請求項３】
複数の熱交換ユニット及びプロペラファンが縦方向に並べられていることを特徴とする請求項２記載のエアコン室外機。
【請求項４】
本体が建物の壁面に取り付けられていることを特徴とする請求項１から請求項３のうちのいずれか１項記載のエアコン室外機。
【請求項５】
熱交換器に接続されている配管の接続口が建物の壁面に対する本体の取付面に施され、その配管が室内機の配管と直結されていることを特徴とする請求項４記載のエアコン室外機。
【請求項６】
室内機の配管にドレイン管が含まれている場合、その室内機からドレイン管を通じて送られる水を熱交換器の冷媒管に散水することを特徴とする請求項５記載のエアコン室外機。
【発明の詳細な説明】
【０００１】
【発明の属する技術分野】
この発明は、設置スペースが少ない場所にも設置することができるエアコン室外機に関するものである。
【０００２】
【従来の技術】
従来のエアコン室外機は、冷暖房能力に応じた熱交換器と送風機が１台ずつ搭載されている（以下の特許文献１を参照）。
【０００３】
【特許文献１】
特開平９−１９６４１５号公報（段落番号［０００８］から［００１０］、図１）
【０００４】
【発明が解決しようとする課題】
従来のエアコン室外機は以上のように構成されているので、冷暖房能力が大きくなる程、熱交換器と送風機が大きくなる。そのため、冷暖房能力が大きくなると、大きな設置スペースが必要になるなどの課題があった。
【０００５】
この発明は上記のような課題を解決するためになされたもので、冷暖房能力が大きくなっても、設置スペースを小さくすることができるエアコン室外機を得ることを目的とする。
【０００６】
【課題を解決するための手段】
この発明に係るエアコン室外機は、吸込み口から室外の空気を吸込んで長方形型の熱交換器に通し、その熱交換器を通過した空気を室外に排出する複数のプロペラファンを熱交換器と対向配置するようにしたものである。
【０００７】
【発明の実施の形態】
以下、この発明の実施の一形態を説明する。
実施の形態１．
図１はこの発明の実施の形態１によるエアコン室外機を示す斜視図、図２はこの発明の実施の形態１によるエアコン室外機を示す分解斜視図、図３はこの発明の実施の形態１によるエアコン室外機を示す正面図である。また、図４はこの発明の実施の形態１によるエアコン室外機の取り付けを示す説明図である。
図において、長方形型の熱交換器は複数の熱交換ユニット１ａ，１ｂ，１ｃ，１ｄ，１ｅから構成され、熱交換ユニット１ａ〜１ｅは吸込み口（吸込み口はプロペラファン２ａ，２ｂ，２ｃの前面に取り付けられている）から吸込まれた室外の空気と室内機１３から送られた冷媒の間で熱交換を実施する。プロペラファン２ａ，２ｂ，２ｃは熱交換ユニット１ａ〜１ｅと対向配置され、吸込み口から室外の空気を吸込んで熱交換ユニット１ａ〜１ｅに通し、その熱交換ユニット１ａ〜１ｅを通過した空気を室外に排出する。
【０００８】
ベース３，４はエアコン室外機を建物の壁面１１に取り付ける取付部材であり、引抜材５，６は熱交換ユニット１ａ〜１ｅ，プロペラファン２ａ〜２ｃ及びベース３，４等を固定している。熱交換ユニット１ａ〜１ｅに接続されている配管の接続口７は建物の壁面１１に対するベース３の取付面に施され、その配管が室内機１３の配管１２と直結されている。
【０００９】
次に動作について説明する。
この実施の形態１では、５台の熱交換ユニット１ａ〜１ｅが縦方向に並べられ、３台のプロペラファン２ａ〜２ｃが縦方向に並べられているが、エアコンの冷暖房能力に応じて熱交換ユニットとプロペラファンの台数が決定される。
なお、引抜材５，６の長さを調整することにより、本体の縦方向のサイズ変更に対応している。
【００１０】
熱交換ユニット１ａ〜１ｅに接続されている配管の接続口７は、建物の壁面１１に対するベース３の取付面に施されており、その配管が室内機１３の配管１２と直結される（図４を参照）。
これにより、建物から引き出された室内機１３の配管１２が直接的にエアコン室外機内に取り込まれるため、その配管１２が直接外気に触れず、配管１２内の断熱効果を高めることができる。
【００１１】
上記のようにして、エアコン室外機が建物の壁面１１に取り付けられたのち（図４（ｂ）を参照）、プロペラファン２ａ〜２ｃが回転を開始すると、プロペラファン２ａ〜２ｃの前面に取り付けられている吸込み口から室外の空気の吸込みを開始し、その空気が熱交換ユニット１ａ〜１ｅに流入する。
熱交換ユニット１ａ〜１ｅに流入された空気は、室内機１３の配管１２を通じて、その室内機１３から送られた冷媒との間で熱交換され、熱交換後の空気が室外に排出される。
【００１２】
以上で明らかなように、この実施の形態１によれば、吸込み口から室外の空気を吸込んで熱交換ユニット１ａ〜１ｅに通し、その熱交換ユニット１ａ〜１ｅを通過した空気を室外に排出する複数のプロペラファン２ａ〜２ｃを熱交換ユニット１ａ〜１ｅと対向配置するように構成したので、冷暖房能力が大きくなっても、設置スペースを小さくすることができる効果を奏する。
また、この実施の形態１によれば、複数の熱交換ユニット１ａ〜１ｅ及びプロペラファン２ａ〜２ｃを縦方向に並べるように構成したので、エアコン室外機の設置スペースを小さくすることができる効果を奏する。
【００１３】
また、この実施の形態１によれば、エアコン室外機を建物の壁面１１に取り付けるように構成したので、設置面がエアコン室外機の設置に適さない場合でも（例えば、設置面が傾斜している場合や、軟弱地盤である場合）、エアコン室外機を設置することができる効果を奏する。
さらに、この実施の形態１によれば、熱交換ユニット１ａ〜１ｅに接続されている配管の接続口７を建物の壁面１１に対するベース３の取付面に施し、その配管を室内機１３の配管１２と直結するように構成したので、建物から引き出された室内機１３の配管１２が直接的にエアコン室外機内に取り込まれるようになり、その結果、その配管１２が直接外気に触れず、配管１２内の断熱効果を高めることができる効果を奏する。
【００１４】
実施の形態２．
上記実施の形態１では、複数の熱交換ユニット１ａ〜１ｅ及びプロペラファン２ａ〜２ｃを縦方向に並べるものについて示したが、図５に示すように、複数の熱交換ユニット１ａ〜１ｃ及びプロペラファンを横方向に並べるようにしてもよい。
これにより、例えば、窓の上部にエアコン室外機を取り付けるスペースがあるような場合には、設置スペースの有効利用を図ることができる効果を奏する。
【００１５】
実施の形態３．
上記実施の形態１では、ベース３，４を建物の壁面１１に取り付けるものについて示したが、ベース４を地面等に設置して、ベース３のみを建物の壁面１１に取り付けるようにしてもよい。
【００１６】
実施の形態４．
上記実施の形態１では、熱交換ユニット１ａ〜１ｅに接続されている配管と室内機１３の配管１２を直結するものについて示したが、図６に示すように、室内機１３の配管１２にドレイン管が含まれている場合、その室内機１３からドレイン管を通じて送られる水を熱交換ユニット１ａ〜１ｅの冷媒管に散水するようにしてもよい（図７を参照）。
これにより、室内機１３の熱交換器等に付着する水を有効に活用して、熱交換ユニット１ａ〜１ｅの熱交換効率を高めることができる効果を奏する。
【００１７】
【発明の効果】
以上のように、この発明によれば、吸込み口から室外の空気を吸込んで長方形型の熱交換器に通し、その熱交換器を通過した空気を室外に排出する複数のプロペラファンを熱交換器と対向配置するように構成したので、冷暖房能力が大きくなっても、設置スペースを小さくすることができる効果がある。
【図面の簡単な説明】
【図１】この発明の実施の形態１によるエアコン室外機を示す斜視図である。
【図２】この発明の実施の形態１によるエアコン室外機を示す分解斜視図である。
【図３】この発明の実施の形態１によるエアコン室外機を示す正面図である。
【図４】この発明の実施の形態１によるエアコン室外機の取り付けを示す説明図である。
【図５】この発明の実施の形態２によるエアコン室外機を示す正面図である。
【図６】配管の内部を示す断面図である。
【図７】この発明の実施の形態４によるエアコン室外機を示す正面図である。
【符号の説明】
１ａ〜１ｅ  熱交換ユニット、２ａ〜２ｃ  プロペラファン、３，４  ベース、５，６  引抜材、７  接続口、１１  建物の壁面、１２  室内機の配管、１３室内機。
【図１】
2004263923.tif 000003
【図２】
2004263923.tif 000004
【図３】
2004263923.tif 000005
【図４】
2004263923.tif 000006
【図５】
2004263923.tif 000007
【図６】
2004263923.tif 000008
【図７】
2004263923.tif 000009